(57)【要約】【課題】  用紙束を二つ折りし、用紙束の折り位置を綴じ、そのあと小口部を断裁して冊子を作成する中綴じ製本装置で冊子を構成する各用紙より長いサイズの用紙を挿入した冊子を作成することを可能にすること。【解決手段】  同一サイズの各用紙Ｐ１〜Ｐｎの間に挿入する長いサイズの用紙Ｐｘを予め端部を折畳んで丁合機１の所定の給紙棚にセットし、用紙Ｐ１〜Ｐｎと分割して、用紙位置決め集積部２に搬出する。用紙位置決め集積部２では折畳み用紙Ｐｘが搬送されたとき、用紙Ｐｘの折畳み端縁が当接するガイド板２ａの位置を中心よりに所定量変更する。この変更により折畳み用紙Ｐｘの折畳み部が小口断裁刃で断裁されなくなる。【選択図】    図１
2005305918.tif 000002
【特許請求の範囲】
【請求項１】
用紙位置決め集積部、用紙折り曲げ部、用紙綴じ部、断裁部を順に配列し、用紙位置決め集積部で位置決め集積した用紙束を用紙折り曲げ部で二つ折りし、二つ折りした用紙束の折り位置を用紙綴じ部で綴じ、綴じた用紙束の小口部を断裁部で断裁して冊子を作成してなる中綴じ製本装置において、前記用紙位置決め集積部に折畳んだ用紙の位置を決める位置決め手段を設けてなることを特徴とする中綴じ製本装置。
【発明の詳細な説明】
【技術分野】
【０００１】
本発明は、中綴じ製本装置に関するものである。
【背景技術】
【０００２】
二つ折りした中央部を針金で綴じた冊子は周知である。図５はこのような冊子を作成する中綴じ製本装置の一例の構成を示すもので図５において、１は給紙部、２は用紙位置決め集積部、３は用紙折り曲げ部、４は用紙搬送部、５は用紙綴じ部、６は用紙排出部、７は断裁部である。給紙部１には縦形の丁合機（印刷機などでも良い。）が配置され、その丁合機の各給紙段（ビン）に冊子を構成するたとえば頁毎に分けた用紙Ｐ１、Ｐ２・・Ｐｎの束が載せられ、頁順に１枚ごとあるいは頁順に複数枚重ねて用紙位置決め集積部２へ搬出する。
【０００３】
用紙位置決め集積部２は給紙部１から搬出された用紙を受け取り、適当枚数（用紙折り曲げ部３で確実に折り曲げることのできる枚数）端縁を揃えて集積し、集積した用紙Ｐの中央部を後段の搬送経路の中心線に合わせて用紙折り曲げ部３へ搬出する。用紙折り曲げ部３は、用紙搬入側に、搬送経路の中心線上に上下一対の筋入れローラ３ａおよび３ｂと、その両側に搬送プーリ３ｃが配置され、搬出側に横方向に圧接する１対のプレスローラ３ｄが配置され、搬送プーリ３ｃとプレスローラ３ｄに丸ベルト３ｅが掛けわたされ、筋入れローラ３ａおよび３ｂとプレスローラ３ｄとの間にガイドローラ３ｆが配列されている。
【０００４】
用紙折り曲げ部３に搬入した用紙Ｐはその中央部が筋入れローラ３ａと３ｂに挟まれ、搬送に伴って折筋が入れられる。折筋が入れられた用紙Ｐはその折筋にガイドローラ３ｆが当接し、上部方向に少し突き上げられる。このとき折筋の両側に位置する用紙部は丸ベルト３ｅの内側に位置し、その状態でプレスローラ３ｄ間に挿入されて用紙Ｐは中央部で二つ折りにされ、二つ折りされた用紙Ｐは、搬送チェーン４ａおよび搬送チェーン４ａに固定した搬送爪４ｂからなる用紙搬送部４の鞍（図示なし、一対の搬送チェーン４ａの間に搬送チェーン４ａに沿って配置されている。）に、折り筋を頂部にして掛けられる。
【０００５】
用紙搬送部４の入口部で１冊分の用紙束Ｐｏが鞍掛して集積され、１冊分集積されると用紙束Ｐｏは搬送チェーン４ａの移動により搬送チェーン４ａに固定された搬送爪４ｂで押し進められて用紙綴じ部５に送られ、用紙綴じ部５に設置した綴じ機（ステッチャ）のステッチャヘッド５ａによリ、鞍掛した用紙束Ｐｏの折筋に沿って図示例では２箇所針金で綴じられる。綴じ後の用紙束Ｐｏは用紙排出部６に送られ、用紙排出部６に設置した折りナイフ６ａにより綴じた折筋を突き上げて断裁部７へ送られる。断裁部７には小口断裁刃７ａおよび天地断裁刃７ｂが設置され、断裁部７へ送られた用紙束Ｐｏはまず用紙束Ｐｏの小口部が断裁され、つづいて天地断裁刃７ｂに送られてここで用紙束Ｐｏの天地部が断裁され、１冊の冊子が完成される。
【特許文献１】特開２００３−２９１５５７号公報
【０００６】
ところで、冊子は冊子を構成する各用紙のサイズが例えばＡ３のように同一サイズの用紙のみで構成される場合に限らず、冊子を構成する各用紙より例えば小口方向に長いサイズの用紙を挿入し、同一サイズの用紙束からはみ出す端部を冊子の背部方向に折畳んで構成される場合がある。前者の場合は、前記のように丁合機などから搬出された一冊分の用紙束の端縁を揃えて中央部で二つ折りし、二つ折りした用紙束の中央部を針金で綴じ、二つ折りして綴じた用紙束の小口および天地を切り揃えて冊子を作成する中綴じ製本装置で作成することができるが、後者の場合は、このような中綴じ製本装置では作成することができず不便であると言う問題があった。
【発明の開示】
【発明が解決しようとする課題】
【０００７】
本発明が解決しようとする課題は、用紙位置決め集積部、用紙折り曲げ部、用紙綴じ部、断裁部を順に配列し、用紙位置決め集積部で位置決め集積した用紙束を用紙折り曲げ部で二つ折りし、二つ折りした用紙束の折り位置を用紙綴じ部で綴じ、綴じた用紙束の小口部を断裁部で断裁して冊子を作成してなる中綴じ製本装置において、冊子を構成する各用紙より小口方向に長いサイズの用紙を挿入した冊子を作成することを可能にし、斯かる問題を解消する点にある。
【課題を解決するための手段】
【０００８】
本発明に係る中綴じ製本装置は、用紙位置決め集積部、用紙折り曲げ部、用紙綴じ部、断裁部を順に配列し、用紙位置決め集積部で位置決め集積した用紙束を用紙折り曲げ部で二つ折りし、二つ折りした用紙束の折り位置を用紙綴じ部で綴じ、綴じた用紙束の小口部を断裁部で断裁して冊子を作成してなる中綴じ製本装置において、前記用紙位置決め集積部に折畳んだ用紙の位置を決める位置決め手段を設けてなることを特徴とする。
【発明の効果】
【０００９】
本発明では、冊子を構成する各用紙より小口方向に長いサイズの用紙を挿入する場合、予め長いサイズの用紙の小口方向の端部を折り畳み、丁合機の所定の給紙棚にセットする。そして丁合機から折畳みのない用紙と折畳んだ用紙とを分けて用紙位置決め集積部へ搬出する。用紙位置決め集積部に折畳んだ用紙の位置を決める位置決め手段を設けているので、折畳んだ用紙が搬出されたときには、位置決め手段を操作して折畳みのない用紙の小口側の端縁について位置決めした位置よりも中央部側に寄せた位置に位置決めする。この位置決めにより折畳んだ用紙の小口側の端縁は折畳みのない用紙の小口側の端縁より中央部寄りに位置して一冊分集積した用紙束が得られ、この用紙束の中央部を綴じて小口部を断裁する。折畳んだ用紙の小口側の端縁は折畳みのない用紙の小口側の端縁より中央部寄りに位置しているので、この小口部の断裁によって折畳み部の断裁を避けることができ、したがって、冊子を構成する各用紙より小口方向に長いサイズの用紙を挿入した冊子を作成することができる。
【発明を実施するための最良の形態】
【００１０】
用紙位置決め集積部、用紙折り曲げ部、用紙綴じ部、断裁部を順に配列し、用紙位置決め集積部で位置決め集積した用紙束を用紙折り曲げ部で二つ折りし、二つ折りした用紙束の折り位置を用紙綴じ部で綴じ、綴じた用紙束の小口部を断裁部で断裁して冊子を作成してなる中綴じ製本装置において、冊子を構成する各用紙より小口方向に長いサイズの用紙を挿入した冊子を作成することを可能にする目的を、用紙位置決め集積部に折畳んだ用紙の位置を決める位置決め手段を設けることにより実現した。
【実施例１】
【００１１】
以下、本発明の実施例について図１を参照して説明する。図１は本発明の実施例に係る中綴じ製本装置の用紙位置決め集積部の構成を動作の推移で示す斜視図である。なお、中綴じ製本装置全体の基本的構成は図５に示す中綴じ製本装置と同様であり、図５に示す中綴じ製本装置と同一または対応する部分には同一の符号を付し、重複する部分の説明は省略する。
【００１２】
本発明にしたがい用紙位置決め集積部２は、丁合機１から搬出された用紙の小口となる端縁を当接して位置決めするガイド板２ａ、２ｂと天または地となる端縁を当接して位置決めするとともに、位置決めした用紙を用紙折り曲げ部３へ押し出すガイド板２ｃを有し、ガイド板２ａはモータ８の駆動によりガイド板２ｂに接離する方向に移動できる構成とされている。なお、ガイド板２ａ、２ｂ、２ｃは冊子を構成する用紙のサイズに応じてその用紙の中央部が後段の用紙折り曲げ部３の筋入れローラ３ａと３ｂに位置するようにその位置を設定することができるものである。
【００１３】
例えばＡ３のように同一サイズの各用紙Ｐ１、Ｐ２、Ｐ３、・・Ｐｎの間に、これら用紙よりも一方の小口方向に長いサイズの用紙Ｐｘを挿入して冊子を作成する場合、予め用紙Ｐｘの一方の小口側の端部を折畳み、丁合機１の所定の給紙棚にセットする。図１に示す例では丁合機１の各給紙棚に各用紙Ｐ１・Ｐ２・Ｐｘ・Ｐ３・・Ｐｎの用紙束をセットし、ガイド板２ａ、２ｂを、用紙Ｐ１〜Ｐｎの中央部が後段の用紙折り曲げ部３の筋入れローラ３ａと３ｂに位置する位置に設定する。
【００１４】
そして、丁合機１を駆動し、図１（ａ）に示すように用紙Ｐ１とＰ２を重ねて用紙位置決め集積部２へ搬出する。搬出された用紙Ｐ１とＰ２の用紙束はガイド板２ａ、２ｂにより端縁を揃えて位置決めされて用紙折り曲げ部３へ送り、この用紙束Ｐの中央部を折り曲げて、用紙搬送部４の図示しない鞍に掛けられる。
【００１５】
用紙Ｐ１とＰ２の用紙束Ｐの用紙折り曲げ部３への送り出しにつづいて図１（ｂ）に示すように丁合機１から折畳んだ用紙Ｐｘを搬出する。このとき丁合機１からの指令信号によりモータ８を駆動し、折畳んだ用紙Ｐｘの折畳んだ先端が当接するガイド板２ａを所定量中心方向に移動させて停止する。なお、ガイド板２ｂの移動は適宜である。丁合機１から搬出された用紙Ｐｘは折畳んだ先端をガイド板２ａに当接して位置決めされて用紙折り曲げ部３へ送り、この用紙束Ｐｘを折り曲げて、先に鞍掛けした用紙Ｐ１とＰ２の用紙束Ｐの上に集積される。なお、折畳んだ用紙Ｐｘの搬出により位置を変更するガイド板（ガイド板２ａ及び／又はガイド板２ｂ）からなる構成は請求項でいう折畳んだ用紙の位置を決める位置決め手段である。
【００１６】
用紙Ｐｘの用紙折り曲げ部３への送り出しにつづいて図１（ｃ）に示すように丁合機１から用紙Ｐ３〜Ｐｎを重ねて搬出する。このとき丁合機１からの指令信号によりモータ８を駆動し、ガイド板２ａを所定量ガイド板２ｂから離れた元の位置に移動させて停止する。丁合機１から搬出された用紙Ｐ３〜Ｐｎはガイド板２ａに当接して揃えて位置決めされて用紙折り曲げ部３へ送り、この用紙Ｐ３〜Ｐｎの用紙束を折り曲げて、先に鞍掛けした用紙Ｐｘの上に集積される。用紙Ｐ１、Ｐ２、Ｐｘ、Ｐ３、・・Ｐｎを順に集積した一冊分の用紙束は、図５に示す中綴じ製本装置と同様に搬送爪４ｂで押し進められて用紙綴じ部に送られ、用紙綴じ部で綴じたあと断裁部に送られ、ここで綴じた用紙束の小口部および天地部を切り揃えて１冊の冊子が完成される。
【００１７】
折畳んだ用紙Ｐｘの小口側の折畳んだ先端位置は、ガイド板２ａを所定量中心に近づいた位置に移動させることにより、他の用紙Ｐ１〜Ｐｎの小口側の先端位置よりも中央部寄り位置しているので、図３に示すように小口断裁上刃７ａ、下刃７ｃの刃先から避ける位置、すなわちガイド板２ａが移動する所定量は折畳んだ先端部が小口断裁上刃７ａ、下刃７ｃの刃先から避けられる量であり、折畳んだ先端部を小口断裁刃７ａ、７ｃにより切り落とすことはない。これにより図２に示すように小口方向に長いサイズの用紙Ｐｘを所望の位置に挿入した冊子が得られる。
【００１８】
以上の実施例は、一方の小口方向に長いサイズの用紙Ｐｘを挿入する場合で、用紙の折り畳んだ先端を位置決めするガイド板２ａを所定量移動するようにしているが、両方の小口方向に長いサイズの用紙Ｐｘを挿入する場合には、ガイド板２ｂもガイド板２ａと同様にモータにより移動する構成とし、予め用紙Ｐｘの両方の小口側の端部を折畳み、各用紙Ｐ１〜Ｐｎの小口方向のサイズよりも短くして、丁合機１の所定の給紙棚にセットすればよい。この場合は、両側の小口側の端部を折畳んだ用紙Ｐｘが搬出されたとき、ガイド板２ａと２ｂの両者を所定量間隔を狭める方向に移動する。この移動により図４に示すように両側の小口方向に長いサイズの用紙Ｐｘを所望の位置に挿入した冊子が得られる。
【００１９】
なお、実施例では、丁合機１から折畳んだ用紙と折畳みのない用紙とを分割して用紙位置決め集積部へ搬出しているが、一度に搬出する用紙の例えば枚数が多い用紙束の場合には、用紙折り曲げ部の折り曲げ能力に応じてその用紙束をさらに分割して用紙位置決め集積部へ搬出するようにする。
【図面の簡単な説明】
【００２０】
【図１】本発明の実施例に係る中綴じ製本装置の用紙位置決め集積部の構成を動作の推移で示す斜視図である。
【図２】製本完了後の冊子の側面図である。
【図３】本発明に係る中綴じ製本装置における小口断裁の様子を示す側面図である。
【図４】製本完了後の冊子の側面図である。
【図５】中綴じ製本装置の全体の構成を示す斜視図である。
【符号の説明】
【００２１】
１  給紙部（丁合機）
２  用紙位置決め集積部
２ａ、２ｂ  小口位置決めガイド板
２ｃ  天または地位置決めガイド板
３  用紙折り曲げ部
３ａ、３ｂ  筋入れローラ
３ｄ  プレスローラ
３ｅ  丸ベルト
３ｆ  ガイドローラ
４  用紙搬送部
４ａ  搬送チェーン
４ｂ  搬送爪
５  用紙綴じ部
５ａ  ステッチャーヘッド
６  用紙排出部
６ａ  折りナイフ
７  断裁部
７ａ  小口断裁上刃
７ｂ  天地断裁刃
７ｃ  小口断裁上刃
８  モータ
【図１】
2005305918.tif 000003
【図２】
2005305918.tif 000004
【図３】
2005305918.tif 000005
【図４】
2005305918.tif 000006
【図５】
2005305918.tif 000007